(57)【要約】【課題】  地震や火災の発生時に、避難通路上に散乱した遊技球を回収し、歩行者の転倒事故を防止する。【解決手段】  遊技台取付島１００，２００や遊技椅子１２０，２２０が配置される第１の床面層４００の上に、第２の床面層５００を配置することにより、床を二重構造にし、第１の床面層４００と第２の床面層５００との間に遊技球Ｂを回収するための回収空間Ｓ２を形成する。第２の床面層５００の所定箇所に設けられた回収扉５１０は、通常は閉じた状態を維持し、平面的な床の一部をなす。災害発生時には、回収扉５１０を開く制御操作がなされ、第２の床面層５００上に散乱した遊技球Ｂは、この開いた回収扉５１０の部分に形成された開口部から落下し、回収空間Ｓ２内に回収される。【選択図】  図２
2005040424.tif 000002
【特許請求の範囲】
【請求項１】
災害発生時にパチンコホールの床に散乱する遊技球を回収するための防災装置であって、
パチンコホールの敷地内に設けられた第１の床面層と、前記第１の床面層の上方に配置された第２の床面層と、災害発生時に遊技球の回収を行うために操作する災害時操作手段と、を備え、
前記第２の床面層と天井との間に遊技を行うための遊技空間が形成され、前記第１の床面層と前記第２の床面層との間に遊技球を回収するための回収空間が形成されており、
前記遊技空間と前記回収空間との間には、開閉可能な回収扉が設けられており、この回収扉を開くことにより、前記第２の床面層上に散乱している遊技球を前記回収空間内に導入することができる構造を有し、
通常は前記回収扉を閉じた状態に維持し、前記災害時操作手段が操作されたときに前記回収扉を開いた状態にして遊技球の回収を行う回収扉制御手段を更に有することを特徴とするパチンコホール用防災装置。
【請求項２】
請求項１に記載の防災装置において、
互いに向かい合って配置された遊技台取付島の間のほぼ全領域に平面的な床が形成されるように第２の床面層を配置し、この第２の床面層の所定箇所に回収扉を設けたことを特徴とするパチンコホール用防災装置。
【請求項３】
請求項１または２に記載の防災装置において、
回収扉を開いたときに生じる開口部が、遊技球を導入するのには十分な大きさを有し、かつ、歩行者の歩行を妨げない大きさを有することを特徴とするパチンコホール用防災装置。
【請求項４】
請求項１に記載の防災装置において、
互いに向かい合って配置された遊技台取付島の間の遊技台取付島近傍を除く領域に平面的な床が形成されるように第２の床面層を配置し、この第２の床面層の端部と第１の床面層との間を連結する側壁部を設け、前記第２の床面層と前記側壁部とによって遊技空間と回収空間とが隔絶されるように構成し、前記側壁部の所定箇所に回収扉を設けたことを特徴とするパチンコホール用防災装置。
【発明の詳細な説明】
【技術分野】
【０００１】
本発明は、パチンコホール用防災装置に関し、特に、災害発生時にパチンコホールの床に散乱する遊技球を回収するための防災装置に関する。
【背景技術】
【０００２】
近年、地震や火災による死傷者を低減させるため、公共施設や商業施設などにおいて、防災設備を一層充実させるための努力が払われている。特に、パチンコホールでは、比較的狭い空間に多数の遊技者が密集した状態で遊技を行うため、地震や火災が発生した場合には、大混乱が予想される。このため、十分な防災対策が不可欠である。
【０００３】
このようなパチンコホールにおける防災対策として、たとえば、下記の特許文献１には、地震発生時に遊技機が倒壊して、遊技者に被害が及ばないように、遊技台取付島に耐震構造をもたせる方法が開示されている。また、下記の特許文献２には、パチンコホール内の排煙を行うための装置が開示されている。
【特許文献１】特開平９−２３９１３５号公報
【特許文献２】特開平７−８０１４７号公報
【発明の開示】
【発明が解決しようとする課題】
【０００４】
上述したように、パチンコホール用防災装置として、これまで、遊技機の倒壊を防ぐ工夫や、ホール内の排煙の工夫などが施されている。しかしながら、災害発生時に予想されるパチンコホールに固有の問題として、現在のところ、遊技球の散乱という事態が見逃されている。
【０００５】
通常、多数の賞球を獲得した遊技者は、獲得した遊技球を容器に入れ、これをパチンコ台の足下に置きながら遊技を続けるのが一般的である。場合によっては、このような容器が足下に何段も積み重ねられることもある。このような状況で地震が発生すれば、当然、容器内に収容されていた遊技球が容器からこぼれ落ち、激しい震動が生じた場合には、容器が転倒して、収容されていた全遊技球が床面に散乱するような事態が生じかねない。また、店内で火災や犯罪が発生したような場合、混乱した遊技者が出口へと殺到することが予想され、足下に積まれていた遊技球用の容器が蹴飛ばされて、遊技球が床面に散乱する事態も起こりうる。
【０００６】
遊技球は、かなりの質量をもった金属製の球体であり、多量の遊技球が床面へ散乱し始めると、平常時であっても、歩行者にとっては極めて危険な状況になる。まして、地震、火災、犯罪などが発生した混乱時では、散乱した遊技球による転倒事故が多発することは想像に難くない。しかも、遊技球の散乱は、店内のみに留まるとは限らない。多量の遊技球が、パチンコホールの出入り口から店外へと流れ出ることになると、路上の歩行者に対しても転倒の危険性を与えるのみならず、道路を走行中の車両に対してもスリップ事故を誘発しかねない。
【０００７】
このように、災害発生時における遊技球の散乱は、様々な二次災害を誘発する重大な事態であり、各パチンコホールは自らの責任において何らかの対策を講じるべきである。しかしながら、従来は、このようなパチンコホールに固有の問題に対処可能な防災装置の開発が全くなされていなかったため、有効な対策を講じることが困難であった。
【０００８】
そこで本発明は、災害発生時にパチンコホールで生じることが予想される遊技球の散乱という事態に有効に対処することが可能なパチンコホール用防災装置を提供することを目的とする。
【課題を解決するための手段】
【０００９】
(1)   本発明の第１の態様は、災害発生時にパチンコホールの床に散乱する遊技球を回収するための防災装置を構成するために、
パチンコホールの敷地内に配置された第１の床面層と、この第１の床面層の上方に配置された第２の床面層と、災害発生時に遊技球の回収を行うために操作する災害時操作手段と、を設け、
第２の床面層と天井との間に遊技を行うための遊技空間が形成され、第１の床面層と第２の床面層との間に遊技球を回収するための回収空間が形成されるようにし、
遊技空間と回収空間との間に開閉可能な回収扉を設け、この回収扉を開くことにより、第２の床面層上に散乱している遊技球を回収空間内に導入することができる構造とし、
通常は回収扉を閉じた状態に維持し、災害時操作手段が操作されたときに回収扉を開いた状態にして遊技球の回収を行う回収扉制御手段を更に設けるようにしたものである。
【００１０】
(2)   本発明の第２の態様は、上述の第１の態様に係るパチンコホール用防災装置において、
互いに向かい合って配置された遊技台取付島の間のほぼ全領域に平面的な床が形成されるように第２の床面層を配置し、この第２の床面層の所定箇所に回収扉を設けるようにしたものである。
【００１１】
(3)   本発明の第３の態様は、上述の第１または第２の態様に係るパチンコホール用防災装置において、
回収扉を開いたときに生じる開口部が、遊技球を導入するのには十分な大きさを有し、かつ、歩行者の歩行を妨げない大きさを有するようにしたものである。
【００１２】
(4)   本発明の第４の態様は、上述の第１の態様に係るパチンコホール用防災装置において、
互いに向かい合って配置された遊技台取付島の間の遊技台取付島近傍を除く領域に平面的な床が形成されるように第２の床面層を配置し、この第２の床面層の端部と第１の床面層との間を連結する側壁部を設け、第２の床面層と側壁部とによって遊技空間と回収空間とが隔絶されるように構成し、側壁部の所定箇所に回収扉を設けるようにしたものである。
【発明の効果】
【００１３】
本発明に係るパチンコホール用防災装置によれば、災害時操作手段を操作することにより、第２の床面層上に散乱した遊技球を回収空間内に回収することができるようになるので、避難通路上への遊技球の散乱という事態に対して有効に対処することが可能になる。
【発明を実施するための最良の形態】
【００１４】
以下、本発明を図示する実施形態に基づいて説明する。図１は、本発明に係る防災装置を適用したパチンコホールの一実施形態の上面図であり、図２は、この実施形態の側断面図である。図１に示す切断線２−２の位置で切断した側断面が、図２に現れている。なお、上面図や側断面図には示されていない一部の構成要素については、図１の下部にブロック図として示してある。
【００１５】
図１の上面図は、このパチンコホールの一部分を、天井の位置から見下ろした状態を示しており、互いに向かい合って配置された一対の遊技台取付島１００，２００が描かれている。遊技台取付島１００には、その両側面に、それぞれ遊技台１１０が取付けられており、同様に、遊技台取付島２００には、その両側面に、それぞれ遊技台２１０が取付けられている。ここでは、説明の便宜上、１つの遊技台取付島の片側面に６台の遊技台が取り付けられた例を示すが、遊技台の取付け台数は、個々のホールの規模などに応じて任意に設定される。また、図１では、一対の遊技台取付島１００，２００が配置された部分のみが示されているが、通常は、このような遊技台取付島がホール内に多数配置されることになる。
【００１６】
各遊技台の正面には、それぞれ遊技椅子が配置されている。たとえば、図示の例では、遊技台１１０の正面には遊技椅子１２０が配置され、遊技台２１０の正面には遊技椅子２２０が配置されている。これら遊技椅子は、移動することのないように、遊技台の正面位置に固定されていることが多い。遊技台取付島１００側の遊技椅子１２０と、遊技台取付島２００側の遊技椅子２２０との間は、遊技者の歩行用通路になる。なお、図１における破線による区切りは、個々の遊技台ごとの遊技領域を便宜的に示すものである。
【００１７】
破線で区切られた個々の遊技領域内には、それぞれ１箇所ずつ、床面に回収扉５１０が設けられている。この回収扉５１０は、災害発生時に床面上に散乱した遊技球を床下の回収空間に回収するためのものであり、その機能については後述する。
【００１８】
また、図にブロック図として示されている災害時操作手段３１０および回収扉制御手段３２０は、実際には、種々の構造や機構のものを用いることが可能であり、ここでは具体的な構造を示す代わりに、機能的なブロックとして示してある。これら各手段の機能についても後述する。
【００１９】
続いて、この実施形態に係る防災装置の構造および動作原理を、図２の側断面図を参照しながら説明する。前述したとおり、この図２は、図１に示す構造物を、切断線２−２の位置で切断した状態を示す側断面図に相当する。ただし、本発明に直接関係しない部分（たとえば、各遊技台取付島１００，２００の内部構造や各遊技台１１０，２１０内部構造）についての図示は省略している。
【００２０】
図示のとおり、遊技台取付島１００の側面には遊技台１１０が取り付けられ、その正面には遊技椅子１２０が配置されている。同様に、遊技台取付島２００の側面には遊技台２１０が取り付けられ、その正面には遊技椅子２２０が配置されている。
【００２１】
本発明に係る防災装置の特徴は、床面を二重構造にすることにより遊技球の回収空間を確保し、災害発生時にパチンコホールの床に散乱する遊技球を、この回収空間に回収できるようにした点にある。
【００２２】
図２に示す実施形態では、パチンコホールの敷地内に設けられた第１の床面層４００と、この第１の床面層の上方に配置された第２の床面層５００による二重構造が形成されている。この実施形態の場合、第１の床面層４００は、このパチンコホールの本来の床面であり、第２の床面層５００は、この本来の床面を底上げするために設けられたもう１枚の床面である。もっとも、パチンコホール内の遊技者にとっては、第２の床面層５００が本来の床と認識される平面になり、第１の床面層４００の存在が認識されることはない。
【００２３】
このように床面を二重構造にすることにより、第２の床面層５００と天井との間に遊技を行うための遊技空間Ｓ１が形成され、第１の床面層４００と第２の床面層５００との間に遊技球を回収するための回収空間Ｓ２が形成されることになる。第１の床面層４００と第２の床面層５００との間の間隔、すなわち、回収空間Ｓ２の高さは、災害発生時に第２の床面層５００の上に散乱すると予想される遊技球を十分に回収することが可能な容積をもった回収空間Ｓ２を形成するのに必要と思われる高さに設定される。一般的なパチンコホールの場合、たとえば、７０ｍｍ程度の高さが確保できれば十分である。
【００２４】
第２の床面層５００は、パチンコホール内の遊技者にとっては、実際の床を構成する構造物であるので、人の体重を十分に支えることが可能な堅牢性を有する必要がある。図２には、この第２の床面層５００を支持する構造体の図示は省略されているが、実際には、第１の床面層４００と第２の床面層５００との間には、所定間隔で多数の柱状構造体を配置し、第２の床面層５００に加わる荷重を、これら多数の柱状構造体を介して、第１の床面層４００により支持する構造にするのが好ましい。たとえば、図１に破線で区切られた個々の区画に相当する第２の床面層５００の部分を、それぞれ独立した１枚のタイル状床材によって構成し、これら個々のタイル状床材の下面に、脚部として機能する複数の柱状構造体を取り付けるようにしておけば、施工も容易である。
【００２５】
なお、図２に示す例では、遊技椅子１２０，２２０を、第１の床面層４００上に支持する構成をとっているため、遊技椅子１２０，２２０に着座した遊技者の体重の多くは、第１の床面層４００に直接加わることになる。たとえば、図示の遊技椅子１２０は、円柱状台座部１２１、座面部１２２、背もたれ部１２３によって構成されているが、第２の床面層５００には、円柱状台座部１２１を挿通するための円形開口部が形成されており、円柱状台座部１２１の底面は、第１の床面層４００の上面に直接取り付けられている。もちろん、本発明を実施する上では、遊技椅子は必ずしも第１の床面層４００上に取り付ける必要はなく、第２の床面層５００上に固定してもよいし、固定せずに第２の床面層５００上に単に置いただけでもよい。
【００２６】
結局、図２に示す実施形態では、第２の床面層５００を設けることにより、互いに向かい合って配置された遊技台取付島１００，２００の間の全領域に平面的な床が形成されることになり、遊技者から見れば、従来の一般的なパチンコホールの形態と何ら変わりはないように見える。しかしながら、実際には、第２の床面層５００の下方には、回収空間Ｓ２が形成されており、災害発生時には、この回収空間Ｓに遊技球を回収することが可能になる。
【００２７】
この回収作業を行うために、第２の床面層５００の所定箇所に、回収扉５１０が設けられている。図２では、遊技椅子１２０の取付箇所の近傍に、回収扉５１０が設けられている例が示されている。この実施形態の場合、図１の上面図に示すとおり、各遊技椅子の脇の位置に、矩形状の回収扉５１０がそれぞれ設けられている。もちろん、各回収扉５１０の配置位置や配置数は任意であり、また、その形状や大きさも任意である。要するに、本発明の基本原理では、遊技空間Ｓ１と回収空間Ｓ２との間に、開閉可能な何らかの回収扉を設け、この回収扉を開くことにより、第２の床面層５００上に散乱している遊技球を回収空間Ｓ２内に導入することができる構造が得られればよい。
【００２８】
図３は、図２に示されている回収扉５１０を開いた状態にして、この位置に開口部Ｈを形成し、この開口部Ｈから、第２の床面層５００上に散乱している遊技球Ｂを回収空間Ｓ２内に回収している様子を示す側断面図である。回収扉５１０を開いた状態にすると、開口部Ｈ内に入った遊技球Ｂはすべて回収空間Ｓ２内へと落下し回収されることになる。もちろん、回収された遊技球Ｂは、第１の床面層４００上を転がって散乱することになるが、第１の床面層４００上での遊技球Ｂの散乱は、歩行者の歩行を何ら妨げることはない。
【００２９】
実際の災害発生時には、第２の床面層５００上に散乱した遊技球Ｂが、複数の回収扉５１０から均一に分散して回収されることはむしろ稀であり、一部の回収扉５１０に集中的に遊技球Ｂが流入して回収が行われることが予想される。したがって、実用上は、回収空間Ｓ２内に回収された遊技球Ｂが、第１の床面層４００上を自由に転がって分散することができるような配慮を施しておくのが好ましい。具体的には、第１の床面層４００上には、回収された遊技球Ｂの移動を阻害するような突起部をできるだけ設けないようにするのが好ましい。このような突起部により、回収された遊技球Ｂの移動が阻害されると、遊技球Ｂの流入が集中した回収扉５１０の付近に、回収された遊技球Ｂが溜まるため、開口部Ｈからの円滑な流入が妨げられるおそれがある。もっとも、第２の床面層５００に加わる荷重を支持するためには、第１の床面層４００と第２の床面層５００との間に何らかの支持構造物が必要になる。この場合、回収された遊技球Ｂが第１の床面層４００上での移動を阻害しないためには、壁状の構造物よりも、前述したような柱状の構造物を用いるのが好ましい。
【００３０】
ところで、回収扉５１０は、通常は閉じた状態に維持しておく必要がある。これは、遊技中の遊技者が、誤って遊技球Ｂを床に落下させてしまう事態が少なからず発生するからである。通常、遊技者は、誤って落下した遊技球Ｂを床から拾い上げ、遊技に使用する。また、パチンコホールの係員が清掃を行う際にも、床に落下している遊技球Ｂをマグネットなどを利用して拾い上げる必要がある。ところが、もし、通常時にも、図３に示すように、回収扉５１０が開いた状態となっていると、床に落下した遊技球Ｂが開口部Ｈから回収空間Ｓ２に回収されてしまうため、遊技者や係員はこれを拾い上げることができなくなる。
【００３１】
図１にブロック図で示した災害時操作手段３１０および回収扉制御手段３２０は、このような見地から設けられた構成要素である。すなわち、災害時操作手段３１０は、災害発生時に遊技球の回収を行うために操作する構成要素であり、回収扉制御手段３２０は、通常は各回収扉５１０を閉じた状態に維持し、災害時操作手段３１０が操作されたときに、各回収扉５１０を開いた状態にして遊技球の回収が行われるようにする構成要素である。別言すれば、各回収扉５１０は、通常は、回収扉制御手段３２０によって閉じた状態に維持されており、図２に示す状態となっている。この状態では、第２の床面層５００に落下した遊技球Ｂは、第２の床面層５００上にそのまま留まる。ところが、係員により、災害時操作手段３１０が操作されると、各回収扉５１０は、回収扉制御手段３２０によって開いた状態にされ、図３に示すように、開口部Ｈを通じて遊技球Ｂが回収空間Ｓ２内に回収されることになる。
【００３２】
図では、災害時操作手段３１０および回収扉制御手段３２０の具体的な構造は示されていないが、上記機能をもった災害時操作手段３１０および回収扉制御手段３２０を具現化することは、種々の形態により可能である。たとえば、災害時操作手段３１０および回収扉制御手段３２０を機械的な構造体で実現するのであれば、リンク機構などによる力伝達系を用意すればよい。具体的には、災害時操作手段３１０として、何らかの操作レバーを用意しておき、この操作レバーに加えられた外力をリンク機構などを介して各回収扉５１０まで伝達すれば、操作レバーを操作することにより、各回収扉５１０の開閉動作を行わせることができる。実際に回収扉５１０を開く動作を行うためには、たとえば、重力やばねなどを利用して開閉動作部分に常に開方向への力を作用させておき、通常時には、この開閉動作部分が留め金によって閉じた状態に維持されるようにし、操作レバーが操作された場合、この操作力により留め金が外れて、開閉動作部分が重力やばねの力で開くような構成をとることができる。
【００３３】
もちろん、災害時操作手段３１０および回収扉制御手段３２０を電気的な手段で実現することも可能である。たとえば、各回収扉５１０の開閉を電磁石やモータなどで行う機構にすれば、この機構は電気的な手段からなる回収扉制御手段３２０として機能する。この場合、災害時操作手段３１０は、この回収扉制御手段３２０に開く動作を指示する電気信号を発生させる押しボタンによって構成することができる。係員は、災害発生時には、この押しボタンを押す操作を行うだけで、各回収扉５１０を開いて、散乱する遊技球を回収することが可能になる。
【００３４】
この他、油圧や空気圧を利用して、回収扉を開閉させる回収扉制御手段３２０を用いることも可能である。もちろん、電気的な手段と機械的な手段との組み合わせにより、災害時操作手段３１０や回収扉制御手段３２０を構成することも可能である。ただ、災害時操作手段３１０および回収扉制御手段３２０は、地震や火災などの災害発生時にも正常に動作する必要があるため、できるだけ信頼性の高い機構を利用するのが好ましい。このような点からは、停電時にも正常に動作する機械的な手段を用いた方が好ましいと言える。
【００３５】
上述した実施形態では、図１の上面図に示されているとおり、各回収扉５１０は、いずれも第２の床面層５００の所定箇所に設けられた矩形状の扉となっており、図３の側断面図では、この回収扉５１０が開くことにより、矩形状の開口部Ｈが形成された状態が示されている。この図３では、開いた状態の回収扉５１０自身の図示は省略されているが、実際には、回収扉５１０は、たとえば、一辺に設けられた蝶番により開閉するような構造となっている。
【００３６】
ただ、実用上は、回収扉５１０の全体が開閉するような構造はあまり好ましくない。なぜなら、回収扉５１０の全体が開いた場合、床面に回収扉と同等の大きさの開口部が形成され、床面上を避難する歩行者の歩行を妨げる重大な障害物となる可能性がある。たとえば、図１に示す例の場合、各遊技椅子の脇に矩形状の回収扉５１０が設けられているが、この位置にこの大きさの開口部が形成されると、避難中の歩行者がつまずく要因になる。したがって、実用上は、回収扉５１０を開いたときに生じる開口部が、遊技球Ｂを導入するのには十分な大きさを有し、かつ、歩行者の歩行を妨げない大きさを有するように設計するのが好ましい。
【００３７】
図４は、このような配慮に基づいて設計された回収扉５１０の一例を示す上面図であり、図５は、この図４に示す回収扉５１０を切断線５−５に沿って切った断面を示す側断面図である。この回収扉５１０は、図２に示すように、第２の床面層５００とほぼ同一の厚みを有し、第２の床面層５００の一部に埋め込まれて使用される。図５に示すとおり、この回収扉５１０は、フレーム部１０と開閉動作部２０とによって構成されている。フレーム部１０は、図４の上面図に示すように、５箇所に楕円状開口部が形成された枠状の構造体であり、その外周部は第２の床面層５００に固着されている。一方、開閉動作部２０は、このフレーム部１０に形成された５つの楕円状の開口部に嵌合する５つの楕円状隆起部２１〜２５が形成された板状部材である。
【００３８】
図６は、フレーム部１０の構造と開閉動作部２０の構造を明瞭に示すために、両者を分離した状態で示す側断面図である。この図６を見れば、フレーム部１０が、５箇所に楕円状開口部Ｈ１〜Ｈ５が形成された枠状の構造体によって構成されている点と、開閉動作部２０が、板状基材の上面に、５つの楕円状隆起部２１〜２５を形成することにより構成されている点とが、よく理解できよう。各楕円状隆起部２１〜２５は、各楕円状開口部Ｈ１〜Ｈ５に正確に嵌合するので、図５に示すような嵌合状態では、その上面はほぼ完全な平面となる。ここで、各楕円状開口部Ｈ１〜Ｈ５は、遊技球Ｂを導入するのには十分な大きさを有し、かつ、歩行者の歩行を妨げない大きさ（歩行者のつま先などが入り込まない大きさ）となっている。
【００３９】
この図４〜図６に示す回収扉５１０の場合、災害発生時には、扉全体が開くのではなく、各楕円状開口部Ｈ１〜Ｈ５のみが開口部として機能することになる。すなわち、通常時は、図５に示すように、フレーム部１０に開閉動作部２０が完全に嵌合した状態を維持しているが、災害発生時には、図６に示すように、開閉動作部２０が下方に移動し、各楕円状開口部Ｈ１〜Ｈ５から、遊技球Ｂが落下することにより回収が行われることになる。開閉動作部２０の移動操作は、回収扉制御手段３２０によって行われる。
【００４０】
前述したとおり、この回収扉制御手段３２０は、種々の形態で実現することができる。たとえば、通常時は、何らかの留め金により、図５に示すように、開閉動作部２０がフレーム部１０に嵌合した状態が維持され、災害発生時には、この留め金を外すことにより、開閉動作部２０が自重で落下するような構成をとることができる。あるいは、開閉動作部２０が、所定の軸を回転軸として回転するように構成しておけば、留め金を外すことにより、回転動作部２０が、回転軸を中心として下方に揺動運動を行い、各楕円状開口部Ｈ１〜Ｈ５から各楕円状隆起部２１〜２５が抜け落ちるようにすることができる。
【００４１】
このように、第２の床面層５００の所定箇所に回収扉５１０を設ける場合、実用上は、災害発生時に回収扉５１０が開いた状態になっても、歩行者の歩行が妨げられることのないような配慮が必要である。続いて、このような配慮が不要になる別な実施形態を、図７および図８を参照しながら説明する。
【００４２】
図７に示す実施形態の基本構成は、図２に示す実施形態とほぼ同様であり、床は第１の床面層４００と第２の床面層６００との二重構造になっている。しかしながら、図２に示す実施形態の場合、互いに向かい合って配置された遊技台取付島１００，２００の間の全領域に平面的な床が形成されるように第２の床面層５００が配置されていたのに対し、この図７に示す実施形態では、各遊技台取付島１００，２００の近傍を除く領域に平面的な床が形成されるように第２の床面層６００が配置されている。別言すれば、遊技台取付島１００，２００の近傍の領域には、第２の床面層６００は存在せず、図示のとおり、溝部Ｇが形成されている。この溝部Ｇの脇には、第２の床面層６００の端部と第１の床面層４００との間を連結する側壁部６１０が形成されている。
【００４３】
結局、図２に示す実施形態では、第２の床面層５００によって、遊技空間Ｓ１と回収空間Ｓ２とが隔絶されていたのに対し、この図７に示す実施形態では、第２の床面層６００と側壁部６１０とによって、遊技空間Ｓ１と回収空間Ｓ２とが隔絶されることになる。この実施形態の利点は、回収扉を第２の床面層６００に設ける必要はなく、側壁部６１０に設けることが可能になる点である。図７に示す例では、遊技椅子１２０の近傍の側壁部６１０に回収扉６１５を設けた例が示されている。もちろん、遊技椅子２２０の近傍の側壁部６１０にも、同様に回収扉を設けることが可能である。
【００４４】
本発明を実施する上では、遊技空間Ｓ１と回収空間Ｓ２との間に、開閉可能な回収扉を設けるようにすればよいので、図７に示す実施形態のように、側壁部６１０が両空間を隔絶する構成要素として用いられている場合には、この側壁部６１０に回収扉６１５を設けるようにするのが好ましい。これは、側壁部６１０は、歩行者の歩行に利用される構造物ではないので、この側壁部６１０に回収扉６１５を設けておき、災害発生時に、この回収扉６１５を開いて開口部を形成しても、歩行者の歩行が妨げられることがないためである。したがって、側壁部６１０に設けられた回収扉６１５には、歩行者の歩行が妨げられることのないような配慮は必要ないので、比較的単純な構造を採用することができる。
【００４５】
図８は、図７に示す回収扉６１５を開いた状態を示す側断面図である。この例では、回収扉６１５の上端部分を蝶番を介して側壁部６１０に揺動自在に取り付ける構造がとられており、図示のとおり、回収扉６１５を右上方へとはね上げる形式で、これを開いた状態にすることができる。このような形式で回収扉６１５を開くと、第１の床面層４００の上面近傍に開口部Ｈが形成されるので、溝部Ｇに落下した遊技球を回収空間Ｓ２内にスムーズに導入することが可能になる。災害発生時に、回収扉６１５を図示のように右上方へとはね上げる動作を行うには、たとえば、ばねなどで回収扉６１５に対して右上方への力を常に加えておき、通常時には、留め金などで回収扉６１５を図７に示すように閉じた状態に固定しておき、災害発生時には、この留め金を外すような機構を回収扉制御手段３２０として設けておけばよい。
【００４６】
この図７に示す実施形態の場合、通常時でも災害発生時でも、遊技台取付島１００，２００の近傍には、常に溝部Ｇが形成されていることになるが、遊技台取付島１００，２００の近傍は通路として利用されることはないので、この溝部Ｇの形成により特に支障が生じることはない。もちろん、通常時に、遊技者が落下させた遊技球は、第２の床面層６００から溝部Ｇ内へと落下する可能性はあるが、この遊技球は、必ず溝部Ｇ内に留まるので、容易に拾い上げることができる。一方、災害発生時には、第２の床面層６００上に散乱した遊技球の多くは、溝部Ｇ内へと落下し、更に、開口部Ｈから回収空間Ｓ２内へと回収されることになる。このように、災害発生時には、遊技球は最終的には、第２の床面層６００の下方の回収空間Ｓ２に回収されることになるので、溝部Ｇの特定箇所に遊技球が集中しても、溝部Ｇに溜まった遊技球が第２の床面層６００へと溢れ出すような事態は生じない。
【００４７】
以上、本発明を図示する具体的な実施形態について説明したが、本発明は、これらの実施形態に限定されるものではなく、この他にも種々の形態で実施可能である。たとえば、図７，図８に示す実施形態において、更に、第２の床面層６００にも回収扉を形成して、回収空間Ｓ２の上方と側方との双方から遊技球を回収できるようにして、回収効率を高めるようにしてもよい。また、上述の実施形態では、災害発生時に、回収空間Ｓ２に遊技球を回収する機構までしか示されていないが、必要に応じて、災害が治まった後に、回収空間Ｓ２内の遊技球を取り出して復旧するための機構を付加することも可能である。もっとも、災害発生後は、店舗に対する大規模な改修を行う必要があることが少なくないので、このような災害後の復旧機構は必ずしも設けておく必要はない。
【図面の簡単な説明】
【００４８】
【図１】本発明に係る防災装置を適用したパチンコホールの一実施形態の上面図である。なお、この上面図には示されていない一部の構成要素については、下部にブロック図として示してある。
【図２】図１に示す実施形態の側断面図である。図１に示す切断線２−２の位置で切断した側断面が、図２に現れている。
【図３】図２に示されている回収扉５１０を開いた状態にして、この位置に開口部Ｈを形成し、この開口部Ｈから、第２の床面層５００上に散乱している遊技球Ｂを回収空間Ｓ２内に回収している様子を示す側断面図である。
【図４】図１に示す実施形態に適した回収扉５１０の具体的な構成例を示す上面図である。
【図５】図４に示す回収扉５１０を切断線５−５に沿って切った断面を示す側断面図である。
【図６】図５に示されている回収扉５１０のフレーム部１０と開閉動作部２０とを分離した状態を示す側断面図である。
【図７】本発明に係る防災装置の別な実施形態の側断面図である。
【図８】図７に示されている回収扉６１５を開いた状態にして、この位置に開口部Ｈを形成し、この開口部Ｈから、第２の床面層６００上に散乱している遊技球を回収空間Ｓ２内に回収可能にした状態を示す側断面図である。
【符号の説明】
【００４９】
１０…フレーム部
２０…開閉動作部
２１〜２５…楕円状隆起部
１００…遊技台取付島
１１０…遊技台
１２０…遊技椅子
１２１…円柱状台座部
１２２…座面部
１２３…背もたれ部
２００…遊技台取付島
２１０…遊技台
２２０…遊技椅子
３１０…災害時操作手段
３２０…回収扉制御手段
４００…第１の床面層
５００…第２の床面層
５１０…回収扉
６００…第２の床面層
６１０…側壁部
６１５…回収扉
Ｂ…遊技球
Ｇ…溝部
Ｈ…開口部
Ｈ１〜Ｈ５…楕円状開口部
Ｓ１…遊技空間
Ｓ２…回収空間
【図１】
2005040424.tif 000003
【図２】
2005040424.tif 000004
【図３】
2005040424.tif 000005
【図４】
2005040424.tif 000006
【図５】
2005040424.tif 000007
【図６】
2005040424.tif 000008
【図７】
2005040424.tif 000009
【図８】
2005040424.tif 000010
【手続補正書】
【提出日】平成15年11月10日(2003.11.10)
【手続補正１】
【補正対象書類名】特許請求の範囲
【補正対象項目名】全文
【補正方法】変更
【補正の内容】
【特許請求の範囲】
【請求項１】
災害発生時にパチンコホールの床に散乱する遊技球を回収するための防災装置であって、
パチンコホールの敷地内に設けられた第１の床面層と、前記第１の床面層の上方に配置された第２の床面層と、災害発生時に遊技球の回収を行うために操作する災害時操作手段と、を備え、
遊技者の歩行用通路となる領域に平面的な床が形成されるように前記第２の床面層を配置し、前記第２の床面層の上面により歩行用床面が形成されるとともに、前記第２の床面層と天井との間に遊技を行うための遊技空間が形成され、前記第１の床面層と前記第２の床面層との間に遊技球を回収するための回収空間が形成されるようにし、
前記第２の床面層の所定箇所には、開閉可能な回収扉が設けられており、この回収扉を開くことにより、前記第２の床面層上に散乱している遊技球を前記回収空間内に導入することができる構造を有し、
通常は前記回収扉を閉じた状態に維持し、前記災害時操作手段が操作されたときに前記回収扉を開いた状態にして遊技球の回収を行う回収扉制御手段を更に有することを特徴とするパチンコホール用防災装置。
【請求項２】
請求項１に記載の防災装置において、
回収扉を開いたときに生じる開口部が、遊技球を導入するのには十分な大きさを有し、かつ、歩行者のつま先が入り込まない大きさを有することを特徴とするパチンコホール用防災装置。
【請求項３】
災害発生時にパチンコホールの床に散乱する遊技球を回収するための防災装置であって、
パチンコホールの敷地内に設けられた第１の床面層と、前記第１の床面層の上方に配置された第２の床面層と、災害発生時に遊技球の回収を行うために操作する災害時操作手段と、を備え、
遊技者の歩行用通路を挟んで互いに向かい合って配置された遊技台取付用島状構造体の間の前記遊技台取付用島状構造体の近傍を除く領域に平面的な床が形成されるように前記第２の床面層を配置し、前記第２の床面層の端部と前記第１の床面層との間を連結する側壁部を設け、前記第２の床面層の上面により歩行用床面が形成されるとともに、前記第２の床面層と天井との間に遊技を行うための遊技空間が形成され、前記第１の床面層と前記第２の床面層との間に遊技球を回収するための回収空間が形成されるようにし、前記第２の床面層と前記側壁部とによって遊技空間と回収空間とが隔絶されるように構成し、
前記側壁部の所定箇所には、開閉可能な回収扉が設けられており、この回収扉を開くことにより、前記第２の床面層上に散乱している遊技球を、前記側壁部と前記遊技台取付用島状構造体との間に形成された溝部を介して、前記回収空間内に導入することができる構造を有し、
通常は前記回収扉を閉じた状態に維持し、前記災害時操作手段が操作されたときに前記回収扉を開いた状態にして遊技球の回収を行う回収扉制御手段を更に有することを特徴とするパチンコホール用防災装置。
【請求項４】
請求項３に記載の防災装置において、
側壁部の所定箇所に形成された開口部に、上端部分が蝶番を介して側壁部に揺動自在に取り付けられた回収扉を設け、この回収扉をはね上げる形式で開くことができるようにしたことを特徴とするパチンコホール用防災装置。
【手続補正２】
【補正対象書類名】明細書
【補正対象項目名】０００９
【補正方法】変更
【補正の内容】
【０００９】
(1)   本発明の第１の態様は、災害発生時にパチンコホールの床に散乱する遊技球を回収するための防災装置を構成するために、
パチンコホールの敷地内に配置された第１の床面層と、この第１の床面層の上方に配置された第２の床面層と、災害発生時に遊技球の回収を行うために操作する災害時操作手段と、を設け、
遊技者の歩行用通路となる領域に平面的な床が形成されるように第２の床面層を配置し、第２の床面層の上面により歩行用床面が形成されるとともに、第２の床面層と天井との間に遊技を行うための遊技空間が形成され、第１の床面層と第２の床面層との間に遊技球を回収するための回収空間が形成されるようにし、
第２の床面層の所定箇所に、開閉可能な回収扉を設け、この回収扉を開くことにより、第２の床面層上に散乱している遊技球を回収空間内に導入することができる構造とし、
通常は回収扉を閉じた状態に維持し、災害時操作手段が操作されたときに回収扉を開いた状態にして遊技球の回収を行う回収扉制御手段を更に設けるようにしたものである。
【手続補正３】
【補正対象書類名】明細書
【補正対象項目名】００１０
【補正方法】変更
【補正の内容】
【００１０】
(2)   本発明の第２の態様は、上述の第１の態様に係るパチンコホール用防災装置において、
回収扉を開いたときに生じる開口部が、遊技球を導入するのには十分な大きさを有し、かつ、歩行者のつま先が入り込まない大きさを有するようにしたものである。
【手続補正４】
【補正対象書類名】明細書
【補正対象項目名】００１１
【補正方法】変更
【補正の内容】
【００１１】
(3)   本発明の第３の態様は、災害発生時にパチンコホールの床に散乱する遊技球を回収するための防災装置を構成するために、
パチンコホールの敷地内に配置された第１の床面層と、この第１の床面層の上方に配置された第２の床面層と、災害発生時に遊技球の回収を行うために操作する災害時操作手段と、を設け、
遊技者の歩行用通路を挟んで互いに向かい合って配置された遊技台取付用島状構造体の間の遊技台取付用島状構造体の近傍を除く領域に平面的な床が形成されるように第２の床面層を配置し、第２の床面層の端部と第１の床面層との間を連結する側壁部を設け、第２の床面層の上面により歩行用床面が形成されるとともに、第２の床面層と天井との間に遊技を行うための遊技空間が形成され、第１の床面層と第２の床面層との間に遊技球を回収するための回収空間が形成されるようにし、第２の床面層と側壁部とによって遊技空間と回収空間とが隔絶されるようにし、
側壁部の所定箇所に、開閉可能な回収扉を設け、この回収扉を開くことにより、第２の床面層上に散乱している遊技球を、側壁部と遊技台取付用島状構造体との間に形成された溝部を介して、回収空間内に導入することができるようにし、
通常は回収扉を閉じた状態に維持し、災害時操作手段が操作されたときに回収扉を開いた状態にして遊技球の回収を行う回収扉制御手段を更に設けるようにしたものである。
【手続補正５】
【補正対象書類名】明細書
【補正対象項目名】００１２
【補正方法】変更
【補正の内容】
【００１２】
(4)   本発明の第４の態様は、上述の第３の態様に係るパチンコホール用防災装置において、
側壁部の所定箇所に形成された開口部に、上端部分が蝶番を介して側壁部に揺動自在に取り付けられた回収扉を設け、この回収扉をはね上げる形式で開くことができるようにしたものである。
【手続補正６】
【補正対象書類名】明細書
【補正対象項目名】００１５
【補正方法】変更
【補正の内容】
【００１５】
図１の上面図は、このパチンコホールの一部分を、天井の位置から見下ろした状態を示しており、互いに向かい合って配置された一対の遊技台取付用島状構造体１００，２００（以下、単に、遊技台取付島と呼ぶ）が描かれている。遊技台取付島１００には、その両側面に、それぞれ遊技台１１０が取付けられており、同様に、遊技台取付島２００には、その両側面に、それぞれ遊技台２１０が取付けられている。ここでは、説明の便宜上、１つの遊技台取付島の片側面に６台の遊技台が取り付けられた例を示すが、遊技台の取付け台数は、個々のホールの規模などに応じて任意に設定される。また、図１では、一対の遊技台取付島１００，２００が配置された部分のみが示されているが、通常は、このような遊技台取付島がホール内に多数配置されることになる。
【手続補正７】
【補正対象書類名】明細書
【補正対象項目名】００４９
【補正方法】変更
【補正の内容】
【００４９】
１０…フレーム部
２０…開閉動作部
２１〜２５…楕円状隆起部
１００…遊技台取付用島状構造体（遊技台取付島）
１１０…遊技台
１２０…遊技椅子
１２１…円柱状台座部
１２２…座面部
１２３…背もたれ部
２００…遊技台取付用島状構造体（遊技台取付島）
２１０…遊技台
２２０…遊技椅子
３１０…災害時操作手段
３２０…回収扉制御手段
４００…第１の床面層
５００…第２の床面層
５１０…回収扉
６００…第２の床面層
６１０…側壁部
６１５…回収扉
Ｂ…遊技球
Ｇ…溝部
Ｈ…開口部
Ｈ１〜Ｈ５…楕円状開口部
Ｓ１…遊技空間
Ｓ２…回収空間